(57)【要約】【課題】洗濯機の設置位置を回避するようにマイクロ波を放射できる一方で、ボウル部使用時の使用者とマイクロ波の放射源との間の距離を所定距離以上に維持することで使用者が横に少しずれていても十分な検知精度を実現できる水周り装置を提供すること。【解決手段】本発明は、上方側が開口しているボウル部と、前記ボウル部に水を吐出する吐水口を有する吐水部と、所定の領域に向けて電波を放射すると共に、当該電波の反射波を検出するセンサ部と、前記センサ部の検出結果に基づいて、被検知体の状態を判別する判別部と、前記ボウル部の上方において、上面視で前記ボウル部の一部を覆うように延在する上方張出部と、を備え、前記センサ部は、前記上方張出部に設けられており、前記所定の領域は、前記センサ部に対して斜め下方側に位置する領域であることを特徴とする水周り装置である。【選択図】図１
2019060155.tif 000002
【特許請求の範囲】
【請求項１】
上方側が開口しているボウル部と、
前記ボウル部に水を吐出する吐水口を有する吐水部と、
所定の領域に向けて電波を放射すると共に、当該電波の反射波を検出するセンサ部と、
前記センサ部の検出結果に基づいて、被検知体の状態を判別する判別部と、
前記ボウル部の上方において、上面視で前記ボウル部の一部を覆うように延在する上方張出部と、
を備え、
前記センサ部は、前記上方張出部に設けられており、
前記所定の領域は、前記センサ部に対して斜め下方側に位置する領域である
ことを特徴とする水周り装置。
【請求項２】
前記ボウル部の近傍には、前記ボウル部より上方の高さまで立ち上がる壁が設けられており、
前記上方張出部は、前記壁から前記ボウル部の側へと片持ち梁状に突出している
ことを特徴とする請求項１に記載の水周り装置。
【請求項３】
前記センサ部は、１つまたは複数のアンテナ要素が配置された平面であるアンテナ面を有しており、
前記アンテナ面は、斜め下方側を向くように配置されており、
前記上方張出部は、略直方体状であり、前記アンテナ面を底面として当該アンテナ面に垂直に斜め下方側へと延びる仮想的な柱状領域が当該上方張出部の１つの面のみを貫く、という位置関係で配置されている
ことを特徴とする請求項２に記載の水周り装置。
【請求項４】
前記上方張出部の上面は、水平面となっており、
前記上方張出部の底面の少なくとも突出端側の一部は、突出端に向かって薄くなるような傾斜面となっている
ことを特徴とする請求項２または３に記載の水周り装置。
【請求項５】
前記上方張出部は、水平方向に延在する板材を内蔵しており、
前記センサ部は、前記板材の下方側に配置されている
ことを特徴とする請求項１乃至４のいずれかに記載の水周り装置。
【請求項６】
前記吐水口または吐水部は、前記上方張出部に設けられている
ことを特徴とする請求項１乃至５のいずれかに記載の水周り装置。
【請求項７】
前記センサ部は、１つまたは複数のアンテナ要素が配置された平面であるアンテナ面を有しており、
前記吐水部を制御する操作部が、前記上方張出部に設けられており、
前記操作部は、前記アンテナ面を底面として当該アンテナ面に垂直に斜め下方側へと延びる仮想的な柱状領域が当該操作部と重複しない、という位置関係で配置されている
ことを特徴とする請求項１乃至６のいずれかに記載の水周り装置。
【請求項８】
前記操作部と前記アンテナ面とは、水平方向にずらされた位置関係で配置されている
ことを特徴とする請求項７に記載の水周り装置。
【請求項９】
前記吐水口からの吐止水を制御する電磁弁を更に備え、
前記電磁弁は、前記判別部による判別結果に基づいて自動制御されるようになっている
ことを特徴とする請求項１乃至８のいずれかに記載の水周り装置。
【発明の詳細な説明】
【技術分野】
【０００１】
本発明は、洗面化粧台のような水周り装置に関する。
【背景技術】
【０００２】
従来より、マイクロ波センサを用いて使用者の接近を検知して、照明装置等を自動的に動作させる洗面化粧台が知られている。例えば、特許文献１には、洗面化粧台の近傍に人が立ったときに洗面化粧台の照明等の電気設備を自動的に作動させる装置が開示されている。
【先行技術文献】
【特許文献】
【０００３】
【特許文献１】実開昭６３−１０３４９２号公報
【発明の概要】
【発明が解決しようとする課題】
【０００４】
洗面化粧台に搭載された従来のマイクロ波センサは、ボウル部の背面側に立設された壁から前方側へと水平方向にマイクロ波を放射していた。この態様は、より遠くまでマイクロ波を到達させることができるため、使用者の接近をより早期に検知できるという利点がある。
【０００５】
しかしながら、本件発明者は、ボウル部の背面側に立設された壁から前方側へと水平方向に向けてマイクロ波を放射する態様（図１２参照）では、次のような誤検知の問題が生じやすいことを知見した。
【０００６】
より具体的には、ボウル部の背面側に立設された壁から前方側へと水平方向に向けてマイクロ波を放射する態様では、使用者が接近していないのに、洗濯機の揺れを使用者の接近であると誤って検知してしまう場合がある、ことが知見されたのである。
【０００７】
近年の住居においては、洗濯機が洗面室内に設置されることが一般的となっているため、この問題の解消を図ることは非常に有用である。
【０００８】
本件発明者は、先ず、ボウル部の背面側に立設された壁からマイクロ波を斜め上方側へと放射する態様について検討した（図１３参照）。これによれば、洗濯機の設置位置（設置高さ）を回避するようにマイクロ波を放射することになるため、前記の誤検知発生を顕著に抑制することが可能である。
【０００９】
しかしながら、このような斜め上方側への放射によれば、身長が低い使用者（例えば子供）の場合において、使用者の検知性能が不十分になってしまう。
【００１０】
本件発明者は、次に、ボウル部の背面側に立設された壁からマイクロ波を斜め下方側へと放射する態様について検討した（図１４）。これによっても、洗濯機の設置位置を回避するようにマイクロ波を放射することになるため、前記の誤検知発生を顕著に抑制することが可能である。
【００１１】
しかしながら、このような斜め下方側への放射によれば、ボウル部によってマイクロ波が反射してしまうため、使用者の検知精度が悪くなってしまう。特に、ボウル部に水を溜めた状態では、使用者の検知精度が非常に悪くなってしまう。
【００１２】
本件発明者は、更に、ボウル部の前方領域からマイクロ波を斜め上方側または斜め下方側へと放射する態様について検討した（図１５（ａ）〜図１５（ｃ）参照）。これによっても、洗濯機の設置位置を回避するようにマイクロ波を放射することになるため、前記の誤検知発生を顕著に抑制することが可能である。
【００１３】
しかしながら、ボウル部の前方領域からのマイクロ波の放射によれば、ボウル部使用時の使用者とマイクロ波の放射源との間の距離が近すぎて、使用者がマイクロ波の放射源に対して横に少しずれているだけで、使用者の検知精度が悪くなってしまう（図１５（ｃ）参照）。
【００１４】
本発明は、以上のような知見に基づいてなされたものである。本発明の目的は、洗濯機の設置位置を回避するようにマイクロ波を放射できる一方で、ボウル部使用時の使用者とマイクロ波の放射源との間の距離を所定距離以上に維持することで使用者が横に少しずれていても十分な検知精度を実現できる水周り装置を提供することである。
【課題を解決するための手段】
【００１５】
本発明は、上方側が開口しているボウル部と、前記ボウル部に水を吐出する吐水口を有する吐水部と、所定の領域に向けて電波を放射すると共に、当該電波の反射波を検出するセンサ部と、前記センサ部の検出結果に基づいて、被検知体の状態を判別する判別部と、前記ボウル部の上方において、上面視で前記ボウル部の一部を覆うように延在する上方張出部と、を備え、前記センサ部は、前記上方張出部に設けられており、前記所定の領域は、前記センサ部に対して斜め下方側に位置する領域であることを特徴とする水周り装置である。
【００１６】
本発明によれば、センサ部を上方張出部に設けることによって、ボウル部使用時の使用者とセンサ部（電波の放射源）との間の距離を所定距離以上に維持することが可能となり、使用者が横に少しずれている場合でも十分な検知精度を実現できる。そして、センサ部が、当該センサ部に対して斜め下方側に位置する領域に向けて電波を放射することにより、洗濯機（あるいは他の任意の振動装置）からの電波の反射を抑制することができる一方で、身長が低い使用者（例えば子供）の場合でも十分な検知精度を実現できる。
【００１７】
好ましくは、前記ボウル部の近傍には、前記ボウル部より上方の高さまで立ち上がる壁が設けられており、前記上方張出部は、前記壁から前記ボウル部の側へと片持ち梁状に突出している。
【００１８】
このような形態によれば、ボウル部使用時に、上方張出部の存在が干渉する（邪魔になる）ことを抑制できる。
【００１９】
また、好ましくは、前記センサ部は、１つまたは複数のアンテナ要素が配置された平面であるアンテナ面を有しており、前記アンテナ面は、斜め下方側を向くように配置されており、前記上方張出部は、略直方体状であり、前記アンテナ面を底面として当該アンテナ面に垂直に斜め下方側へと延びる仮想的な柱状領域が当該上方張出部の１つの面のみを貫く、という位置関係で配置されている。
【００２０】
このような形態によれば、略直方体状の上方張出部の面同士が接続された部分（エッジが稜線として明確に視認される場合に限定されず、丸められている場合も含む）によって電波が分割されることを抑制することができ、結果的に十分な検知精度を実現できる。
【００２１】
また、前記上方張出部の上面は、水平面となっており、前記上方張出部の底面の少なくとも突出端側の一部は、突出端に向かって薄くなるような傾斜面となっていることが好ましい。
【００２２】
このような形態によれば、上方張出部の突出端側において、上方張出部の厚みを薄く見せることができるため、デザイン性が向上される。
【００２３】
また、前記上方張出部は、水平方向に延在する板材を内蔵しており、前記センサ部は、前記板材の下方側に配置されていることが好ましい。
【００２４】
このような形態によれば、水平方向に延在する板材によって上方張出部の強度が向上されるため、上方張出部を何かを載置するための棚として活用することができる。一方、センサ部が当該板材の下方側に配置されているため、板材の選択について電波との干渉問題を考慮する必要性を小さくすることができる。
【００２５】
また、前記吐水口または吐水部は、前記上方張出部に設けられていることが好ましい。
【００２６】
この場合、吐水口または吐水部を使用者に近づけた設計が容易であり、使い勝手の向上に貢献できる。また、吐水部とセンサ部の両方が上方張出部に集約されることにより、メンテナンス性も向上される。
【００２７】
また、前記センサ部が１つまたは複数のアンテナ要素が配置された平面であるアンテナ面を有している場合、前記吐水部を制御する操作部が、前記上方張出部に設けられており、前記操作部は、前記アンテナ面を底面として当該アンテナ面に垂直に斜め下方側へと延びる仮想的な柱状領域が当該操作部と重複しない、という位置関係で配置されていることが好ましい。
【００２８】
この場合、操作部を使用者に近づけた設計が容易であり、使い勝手の向上に貢献できる。また、操作部とセンサ部の両方が上方張出部に集約されることにより、メンテナンス性も向上される。一方、アンテナ面を底面として当該アンテナ面に垂直に斜め下方側へと延びる仮想的な柱状領域が操作部と重複しないため、操作部ないし当該操作部と接続される各種部材（給水路、バルブ等）の材料等の選択について電波との干渉問題を考慮する必要性を小さくすることができる。
【００２９】
また、前記操作部と前記アンテナ面とは、水平方向にずらされた位置関係で配置されていることが好ましい。
【００３０】
この場合、操作部ないし当該操作部と接続される各種部材の材料等の選択について、電波との干渉問題を考慮する必要性を更に小さくすることができる。また、操作部とセンサ部とが互いにずれていることにより、スペースの有効利用が図れるという効果もある。
【００３１】
また、前記吐水口からの吐止水を制御する電磁弁を更に備え、前記電磁弁は、前記判別部による判別結果に基づいて自動制御されるようになっていることが好ましい。
【００３２】
あるいは、前記ボウル部の周囲を照明する照明装置を更に備え、前記照明装置は、前記判別部による判別結果に基づいて自動制御されるようになっていることが好ましい。
【００３３】
さらには、前記吐水口からの吐止水を制御する電磁弁と前記ボウル部を照明する照明装置との両方を更に備え、前記電磁弁及び前記照明装置の各々が、前記判別部による判別結果に基づいて自動制御されるようになっていることが好ましい。この場合、１つのセンサ部の出力に基づいて、自動水栓機能と自動照明機能との両方を実現できるため、水周り装置の小型化を図ることができる。
【発明の効果】
【００３４】
本発明によれば、センサ部を上方張出部に設けることによって、ボウル部使用時の使用者とセンサ部（電波の放射源）との間の距離を所定距離以上に維持することが可能となり、使用者が横に少しずれている場合でも十分な検知精度を実現できる。そして、センサ部が、当該センサ部に対して斜め下方側に位置する領域に向けて電波を放射することにより、洗濯機（あるいは他の任意の振動装置）からの電波の反射を抑制することができる一方で、身長が低い使用者（例えば子供）の場合でも十分な検知精度を実現できる。
【図面の簡単な説明】
【００３５】
【図１】本発明の一実施形態による水周り装置の概略図である。図１（ａ）は、本発明の一実施形態による水周り装置の概略縦断面図であり、図１（ｂ）は、図１（ａ）のｂ−ｂ線に沿ってみた上面視図である。
【図２】図１の水周り装置の概略ブロック図である。
【図３】上方張出部の好適な一例の概略断面図である。
【図４】上方張出部の別の好適な一例の概略断面図である。
【図５】上方張出部の更に別の好適な一例の概略断面図である。
【図６】図５の上方張出部の変形例の概略断面図である。
【図７】上方張出部の更に別の好適な一例の概略断面図である。
【図８】上方張出部の更に別の好適な一例の平面図である。
【図９】上方張出部の更に別の好適な一例の概略断面図である。
【図１０】上方張出部の更に別の好適な一例の概略断面図である。
【図１１】センサ部と操作部との配置例を示す概略平面図である。
【図１２】従来の水周り装置の概略縦断面図である。
【図１３】検討過程で考察した水周り装置の概略縦断面図である。
【図１４】検討過程で考察した別の水周り装置の概略縦断面図である。
【図１５】検討過程で考察した更に別の水周り装置の概略縦断面図である。
【発明を実施するための形態】
【００３６】
次に、添付図面を参照して、本発明の一実施形態による水周り装置について説明する。
【００３７】
（構成）
図１（ａ）は、本発明の一実施形態による水周り装置の概略縦断面図であり、図１（ｂ）は、図１（ａ）のｂ−ｂ線断面図である。また、図２は、図１の水周り装置の概略ブロック図である。
【００３８】
図１（ａ）乃至図２に示すように、本実施形態の水周り装置１は、洗面化粧台であり、上方側が開口しているボウル部１０と、ボウル部１０の上方において上面視でボウル部１０の一部を覆うように延在する上方張出部５０と、上方張出部５０に設けられ前方側（図１（ａ）の左側、図１（ｂ）の下側）斜め下方に向けてマイクロ波（電波の一部）を放射すると共に当該マイクロ波の反射波を検出するセンサ部３０と、を備えている。
【００３９】
本実施形態のセンサ部３０は、放射されるマイクロ波の半値角より中心側の領域（図１（ａ）及び図１（ｂ）において二点鎖線で囲った領域）の少なくとも一部がボウル部１０の上方を抜けていく（ボウル部１０と重複しない）ような位置関係で、配置されている（図１（ａ）参照）。
【００４０】
図１（ａ）及び図１（ｂ）に示すように、本実施形態の水周り装置１では、ボウル部１０の後方側（図１（ａ）の右側、図１（ｂ）の上側）の近傍に、ボウル部１０より上方の高さまで立ち上がる壁６０が設けられており、上方張出部５０は、上面が水平な直方体形状で、当該壁６０からボウル部１０の側へと片持ち梁状に突出している。
【００４１】
また、図１（ａ）及び図１（ｂ）では図示が省略されているが、本実施形態の水周り装置１には、ボウル部１０に水を吐出する吐水口２２を有する吐水部２０が設けられている（図２参照）。
【００４２】
また、図２に示すように、本実施形態の水周り装置１は、吐水口２２からの吐止水を制御する電磁弁としての給水バルブ２１と、ボウル部１０の周囲を照明する照明装置７０と、を更に備えている。照明装置７０は、照明制御部７１と照明機器７２とを有している。
【００４３】
そして、センサ部３０の検出結果に基づいて、被検知体としての使用者または使用者の手の状態を判別する判別部４０が設けられており、給水バルブ２１及び照明制御部７１の各々が、判別部４０による判別結果に基づいて自動制御されるようになっている。
【００４４】
より具体的には、本実施形態のセンサ部３０は、図２に示すように、マイクロ波を放射する送信部３１と、マイクロ波の反射波を検出する受信部３２と、放射信号と検出信号（受信信号）との差分を検出する差分検出部３３と、を有している。（もっとも、差分検出部３３は、判別部４０の方に搭載されていてもよい。）
【００４５】
そして、本実施形態の判別部４０は、図２に示すように、差分検出部３３からの信号を受信する信号受信手段４１と、差分検出部３３からの信号状態に基づいて使用者の水周り装置１への接近状態及び離反状態を検出する使用者検出手段４２と、差分検出部３３からの信号状態に基づいて使用者の手の吐水口２２への接近状態及び離反状態を検出する手洗い動作検出手段４３と、を有している。
【００４６】
そして、使用者検出手段４２の検出結果に基づいて、照明制御部７１が自動制御されるようになっており、また、手洗い動作検出手段４３の検出結果に基づいて、給水バルブ２１が自動制御されるようになっている。
【００４７】
なお、判別部４０は、センサ部３０と同様に上方張出部５０の内部に設けられてもよいが、壁６０の内部等に設けられてもよい。
【００４８】
（作用・効果）
以上のような本実施形態によれば、センサ部３０が上方張出部５０に設けられたことによって、ボウル部１０を使用する時の使用者とセンサ部３０（マイクロ波の放射源）との間の距離を、所定距離以上に維持することが可能となり、使用者が横に少しずれている場合でも（図１（ｂ）参照）、十分な使用者の検知精度を実現できる。
【００４９】
そして、センサ部３０が、当該センサ部３０に対して斜め下方側に位置する領域に向けてマイクロ波を放射することにより（図１（ａ）参照）、洗濯機８０（あるいは他の任意の振動装置）からのマイクロ波の反射を抑制することができる一方で、身長が低い使用者（例えば子供）の場合でも十分な検知精度を実現できる。
【００５０】
また、本実施形態では、上方張出部５０が、壁５０からボウル部１０の側へと片持ち梁状に突出していることにより、ボウル部１０の使用時に上方張出部５０の存在が干渉する（邪魔になる）ことを抑制できる。
【００５１】
また、本実施形態では、上方張出部５０の上面が水平であるため、上方張出部５０を何かを載置するための棚として活用することができる。
【００５２】
また、本実施形態では、１つのセンサ部３０の出力に基づいて、給水バルブ２１の自動制御（自動水栓機能）と照明制御部７１の自動制御（自動照明機能）との両方を実現できるため、水周り装置１の小型化を図ることができる。
【００５３】
（上方張出部５０におけるセンサ部の配置例：図３及び図４）
センサ部３０は、一般に、１つまたは複数のアンテナ要素（パッチアンテナと呼ばれており、送信部３１と受信部３２とを兼ねる場合もある）が例えばマトリクス状（アンテナ要素が複数の場合）に配置された平面であるアンテナ面３０ａを有している。斜め下方に向けてマイクロ波を放射するためには、当該アンテナ面３０ａが、斜め下方側を向くように配置される。
【００５４】
なお、アンテナ要素は、マトリクス状に配置されていなくてもよいが、規則性を持った配置であることが好ましい。例えば、マトリクスの一部の行（または列）が、他の行（または列）に対してずれているような配置であってもよい。
【００５５】
そして、略直方体状の上方張出部５０の面同士が接続された部分（エッジが稜線として明確に視認される場合に限定されず、丸められている場合も含む）によってマイクロ波が分割されることを抑制するために、アンテナ面３０ａを底面として当該アンテナ面３０ａに垂直に斜め下方側へと延びる仮想的な柱状領域Ｃ（「電波の主軸」と呼ばれている）が上方張出部５０の１つの面のみを貫く、という位置関係で配置されていることが好ましい。
【００５６】
図３及び図４は、それぞれ、上方張出部５０のそのような好適な形態例を図示している。図３の場合、柱状領域Ｃが上方張出部５０の下面５０ｄのみを貫くような位置関係で、センサ部３０（アンテナ面３０ａ）が配置されている。また、図４の場合、柱状領域Ｃが上方張出部５０の前面５０ｆのみを貫くような位置関係で、センサ部３０（アンテナ面３０ａ）が配置されている。
【００５７】
図３及び図４のような形態によれば、略直方体状の上方張出部５０の面同士が接続された部分によってマイクロ波が分割されることを抑制することができ、結果的に十分な検知精度を実現できる。
【００５８】
（上方張出部５０の好適な形態例：図５及び図６）
また、上方張出部５０の上面５０ｕが水平である一方で、上方張出部５０の底面の少なくとも突出端側の一部は、突出端に向かって薄くなるような傾斜面５０ｔとなっていることが好ましい。また、この場合、柱状領域Ｃが上方張出部５０の当該テーパ面５０ｔのみを貫くような位置関係で、センサ部３０（アンテナ面３０ａ）が配置されていることが好ましい。このような形態例を、図５に示す。
【００５９】
また、図６は、図５の上方張出部５０の変形例の概略断面図である。図６に示すように、上方張出部５０の底面の壁側の一部も、壁６０に向かって薄くなるような傾斜面となっていてよい。
【００６０】
図５及び図６のような形態によれば、上方張出部５０の突出端側において、上方張出部５０の厚みを薄く見せることができるため、デザイン性に優れる。
【００６１】
（上方張出部５０の好適な内部構造例：図７及び図８）
また、上方張出部５０は、水平方向に延在する板材５１を内蔵しており、センサ部３０は、板材５１の下方側に配置されていることが好ましい。板材５１は、例えば金属板である。このような内部構造例を、図７に示す。
【００６２】
図７の内部構造例によれば、水平方向に延在する板材５１によって上方張出部５０の強度が向上されるため、上方張出部５０を何かを載置するための棚としてより効果的に活用することができる。一方、センサ部３０が当該板材５１の下方側に配置されているため、板材５１の選択についてマイクロ波との干渉問題を考慮する必要性を小さくすることができ、例えば板材５１として金属板を採用することができる。電波の干渉問題としては、具体的には、センサ部３０から放射された電波の検知領域が板材５１の影響で変化して、検知性能に影響が出てしまうこと等が挙げられる。
【００６３】
また、上方張出部は、全体として平面状に広がっていれば足りる。例えば、図８に示す上方張出部５２のように、外側面から内側に向かって部分的に切り欠かれた切り欠き５２ｖが設けられていて、当該切り欠き５２ｖ内にセンサ部３０等が収容されていてもよい。
【００６４】
（吐水口２２及び操作部２５の好適な配置例：図９乃至図１１）
吐水口２２は、上方張出部５０に設けられていることが好ましい。このような配置例を、図９に示す。
【００６５】
図９の配置例によれば、吐水口２２を使用者に近づけた設計が容易であり、使い勝手の向上に貢献できる。また、吐水部２０とセンサ部３０の両方が上方張出部５０に集約されることにより、メンテナンス性も向上される。
【００６６】
また、流量調整や温度調整のために吐水部２０を制御する操作部２５が設けられる場合、当該操作部２５も上方張出部５０に設けられていることが好ましい。この場合、更に、操作部２５は、アンテナ面３０ａを底面として当該アンテナ面３０ａに垂直に斜め下方側へと延びる仮想的な柱状領域Ｃが当該操作部２５と重複しない、という位置関係で配置されていることが好ましい。このような配置例を、図１０に示す。
【００６７】
図１０の配置例によれば、操作部２５を使用者に近づけた設計が容易であり、使い勝手の向上に貢献できる。また、操作部２５とセンサ部３０の両方が上方張出部５０に集約されることにより、メンテナンス性も向上される。更に、柱状領域Ｃが操作部２５と重複しないため、操作部２５ないし当該操作部２５と接続される各種部材（給水路、バルブ等）の材料等の選択について、マイクロ波との干渉問題を考慮する必要性を小さくすることができる。
【００６８】
また、操作部２５とアンテナ面３０ａ（センサ部３０）とは、水平方向にずらされた位置関係で配置されていることが好ましい。このような配置例を、図１１に示す。
【００６９】
図１１の配置例によれば、操作部２５ないし当該操作部２５と接続される各種部材の材料等の選択について、マイクロ波との干渉問題を考慮する必要性を更に小さくすることができる。また、操作部２５とセンサ部３０とが互いにずれていることにより、スペースの有効利用が図れるという効果もある。
【符号の説明】
【００７０】
１      水周りシステム
１０    ボウル部
２０    吐水部
２１    給水バルブ（電磁弁）
２２    吐水口
３０    センサ部
３０ａ  アンテナ面
３１    送信部（パッチアンテナ）
３２    受信部（パッチアンテナ）
３３    差分検出部
４０    判別部
４１    信号受信手段
４２    使用者検出手段
４３    手洗い動作検出手段
５０    上方張出部
５０ｕ  上面（水平）
５０ｆ  前面
５０ｄ  下面
５０ｔ  傾斜面
５１    板材（例えば金属の平板材）
５２    部分的な切り欠きを含む上方張出部
５２ｖ  切り欠き
６０    壁
７０    照明装置
７１    照明制御部
７２    照明機器
８０    洗濯機
Ｃ      仮想的な柱状領域（「電波の主軸」）
【図１】
2019060155.tif 000003
【図２】
2019060155.tif 000004
【図３】
2019060155.tif 000005
【図４】
2019060155.tif 000006
【図５】
2019060155.tif 000007
【図６】
2019060155.tif 000008
【図７】
2019060155.tif 000009
【図８】
2019060155.tif 000010
【図９】
2019060155.tif 000011
【図１０】
2019060155.tif 000012
【図１１】
2019060155.tif 000013
【図１２】
2019060155.tif 000014
【図１３】
2019060155.tif 000015
【図１４】
2019060155.tif 000016
【図１５】
2019060155.tif 000017